(57)【要約】      （修正有）【課題】嵩張る網をコンパクトにまとめ、携帯状態から使用状態に即座に移行できる着脱機構付きたも網を提供する。【解決手段】開口を有する袋状の網部２と、前記網部２の開口を保持する枠部３と、前記枠部３に接続された柄部４とを有するたも網１であって、前記枠部３または柄部４の一方に接続された第１着脱具２１，１３，１５と、前記第１着脱具２１，１３，１５に磁力によって着脱可能で利用者の服または鞄に取り付けられる第２着脱具２０，１１と、前記網部２の底部または底部近傍に取り付けられて前記第１着脱具２１，１３，１５に着脱可能な中間着脱具２３を備えた着脱機構付きたも網。【選択図】図１
2018161076.tif 000002
【特許請求の範囲】
【請求項１】
開口を有する袋状の網部と、
前記網部の開口を保持する枠部と、
前記枠部に接続された柄部とを有するたも網であって、
前記枠部または柄部の一方に接続された第１着脱具と、
前記第１着脱具に磁力によって着脱可能で利用者の服または鞄に取り付けられる第２着脱具と、
前記網部の底部または底部近傍に取り付けられて前記第１着脱具に着脱可能な中間着脱具を備えた
着脱機構付きたも網。
【請求項２】
前記中間着脱具は、磁力に吸着する素材で形成され、
前記第１着脱具は、磁石を備えている
請求項１記載の着脱機構付きたも網。
【請求項３】
前記第２着脱具は、磁石を備え、
前記第１着脱具は、磁石が設けられた吸着面の逆側に前記枠部または柄部を接続する接続具が設けられ、
前記第２着脱具は、磁石が設けられた吸着面の逆側に前記服または鞄を接続する接続具が設けられた、
請求項１または２記載の着脱機構付きたも網。
【請求項４】
前記中間着脱具は、厚み一定の板状に形成され、その辺の一部に、前記たも網に接続する接続具が設けられた
請求項１、２、または３記載の着脱機構付きたも網。
【請求項５】
たも網の枠部または柄部の一方に接続される第１着脱具と、
前記第１着脱具に磁力によって着脱可能で利用者の服または鞄に取り付けられる第２着脱具と、
前記網部の底部または底部近傍に取り付けられて前記第１着脱具に着脱可能な中間着脱具を備えた
たも網着脱具。
【発明の詳細な説明】
【技術分野】
【０００１】
この発明は、着脱機構付きたも網に関する。
【背景技術】
【０００２】
従来、魚釣りにおいては、比較的大きな魚を釣った場合に魚を掬い上げるたも網が利用されている。このようなたも網は、船上で利用する、堤防で利用する、川や海に足が浸かっている状態で利用するなど、様々な状況で利用される。
たも網は、網枠の径が大きくなると持ち運びするのが不便である。こうした不便の解消のため、網枠が折り畳み自在で持ち運びに便利な魚釣り用のたも網の発明がなされている。
例えば、特許文献１には、簡単かつ容易に、コンパクトに折り畳みできる魚釣りに使用する折畳たも網が開示されている。  
また、特許文献２には、折り畳み自在のたも網において、たも網として使用する場合、組み立てた網枠の連結およびこの網枠と柄の結合を強固にしてがたつきをなくすことを目的としたたも網が開示されている。
しかしながら、これらの折り畳みできるたも網は、組み立てるのに時間がかかるため、携帯状態から使用状態に即座に移行することができず、また、網枠に取り付けられた嵩張る網の処理を含むものではなかった。
【先行技術文献】
【特許文献】
【０００３】
【特許文献１】特開平８−１１６８２７号公報
【特許文献２】特開２００４−４９１９１号公報
【発明の概要】
【発明が解決しようとする課題】
【０００４】
この発明は、上述の問題点に鑑みて、嵩張る網をコンパクトにまとめ、携帯状態から使用状態に即座に移行できる着脱機構付きたも網を提供することを目的とする。
【課題を解決するための手段】
【０００５】
この発明は、開口を有する袋状の網部と、前記網部の開口を保持する枠部と、前記枠部に接続された柄部とを有するたも網であって、前記枠部または柄部の一方に接続された第１着脱具と、前記第１着脱具に磁力によって着脱可能で利用者の服または鞄に取り付けられる第２着脱具と、前記網部の底部または底部近傍に取り付けられて前記第１着脱具に着脱可能な中間着脱具を備えた着脱機構付きたも網であることを特徴とする。
【発明の効果】
【０００６】
この発明により、携帯状態から使用状態に即座に移行できる着脱機構付きたも網を提供できる。
【図面の簡単な説明】
【０００７】
【図１】携帯時のたも網を示す全体図。
【図２】枠部面を水平にした状態のたも網の横断面図。
【図３】着脱機構による着脱の様子示す図。
【図４】使用時のたも網の一部を示す正面図。
【図５】魚釣りを行っている時のたも網の様子示す図。
【発明を実施するための形態】
【０００８】
以下、この発明の一実施形態を図面と共に説明する。
【実施例１】
【０００９】
＜全体構成＞
図１は、携帯時のたも網１を示す全体図である。  
図１に示すように、たも網１は、開口を有する袋状の網部２と、網部２の開口を保持する枠部３と、枠部３に接続された柄部４とを備えている。
【００１０】
網部２は、ナイロン素材を用いた、底に行くほど網目が細かくなる網で、底部の網目は約２０×２０ｍｍである。また、網の深さは約８０ｃｍである。尚、網目や網の深さは捕まえる魚の魚体の大きさに応じて適宜のサイズに製造することができる。
【００１１】
枠部３は、カーボン素材が用いられ、長手のパイプ状部材が環状に形成されている。ここでは、枠部３は、柄部４を取り付ける側の反対側の幅が広くなっているオーバル形状に形成されている。枠部３の外周は、１００ｃｍ以上とすることができ、１５０ｃｍ以上とすることが好ましく、この実施例では約１８０ｃｍである。パイプ状部材の両端部は、一方の端部が、柄部４を取り付ける側にＬ字状の凹みを有し、他方の端部が、柄部４を取り付ける側の反対側にＬ字状の凹みを有している。パイプ状部材の両端部は、互いの凹みを埋め合わせるように重ね合わされ、当該重ね合わされた部分に柄部４が接続されている。尚、パイプ状部材の柄部４を取り付ける側の部分の径は、他の部分の径（この例では、約１０ｍｍ）より太くなっている。
【００１２】
柄部４は、本体がカーボン素材のパイプ状ポールで、長さが約３０ｃｍで、径が約２５ｍｍである。この柄部４の長さは、枠部３の長さ（柄部４の長手方向に見た長さ）より短く構成されている。柄部４のポール本体表面をカバーするように、枠部３の遠い側にグリップ部５が形成されている。グリップ部５は、水に濡れても滑りにくいラバー素材により形成されている。
【００１３】
柄部４の尻（枠部３に遠い側の端部）には、螺旋状に巻かれ伸縮可能なナイロン製の伸縮ベルト６の一端が接続されている。伸縮ベルト６の他端にはベルト取り付け具７が接続されている。ベルト取り付け具７には、カラビナが用いられており、釣り人（利用者）のズボンのベルトまたはベルトループに取り付けられている。こうして、柄部４を腰付近に配置している。この伸縮ベルト６とベルト取付け具７は、釣り人が身に着けている装備（例えばベルト、ベルトループ、あるいはベストやリュックに設けられたループ等）にたも網１を取り付ける取付け部として機能する。
【００１４】
枠部３には、枠部３の適当な位置に取り付けることの可能な枠部吊り上げ具１５が取り付けられている。枠部吊り上げ具１５には、枠部取り付け具１３を介して、磁石Ｇを備えた第１磁石部２１が連結されている。尚、枠部取り付け具１３には、カラビナが用いられている。
【００１５】
釣り人（利用者）の首から背中に向けて吊り下げたフックＦには、フック取り付け具１１を介して、磁石Ｇを備えた第２磁石部２０が連結されている。尚、フック取り付け具１１も、カラビナが用いられている。フックＦは、釣り人（利用者）の服または鞄に設けてもよい。
【００１６】
そして、第１磁石部２１と第２磁石部２０とは、網部２の底部または底部近傍に取り付けられた中間着脱具２３を両者の間に挟んで、互いに磁力により引き合っている。こうして、枠部３及び網部２を首から吊り下げるようにして、背中から腰の辺りでたも網１全体が背負われる。この第１磁石部２１と第２磁石部２０と中間着脱具２３により、たも網着脱具９が構成されている。従って、
＜浮上機構＞
図２は、枠部面を水平にした状態のたも網１の横断面図である。
【００１７】
枠部３は、内部が中空の中空内部３ａを枠部３内に設けている。中空内部３ａは、周囲がカーボン素材で囲まれた閉じた空間を形成している。中空内部３ａは、略コ字状あるいは略円弧状で、枠部３の外形に沿うようにして湾曲する。中空内部３ａは、たも網１を水中に沈み込ませにくくする浮力部として機能する。
【００１８】
また、中空内部３ａは、柄部４が取り付けられる部分から離間した枠部３内に設けられている。これにより、柄部４を取り付ける側の反対側の枠部３を、水中に沈み込ませにくくしている。
【００１９】
中空内部３ａは、柄部４の長手方向を中心とする枠部３の左右に略対称に設けられている。これにより、柄部４の長手方向を中心とする左右の浮力バランスが取れる。
【００２０】
また、枠部３は、柄部４に取り付けられる両方の端部３ｃ付近が径の太い枠根元部３ｂとして稠密に構成されている。この枠根元部３ｂにより、強度を確保するとともに中空内部３ａへの水の浸入を防止している。
【００２１】
枠部３と柄部４とは、ネジ３０で接続されている。柄部４の口には雌ネジのねじ山が切られている。ネジ３０は、枠部３の、柄部４を取り付ける側にＬ字状の凹みを有する一方の端部３ｃに固定されており、枠部３の、柄部４を取り付ける側の反対側にＬ字状の凹みを有する他方の端部３ｄに形成された貫通孔を貫通し、柄部４の口の雌ネジに接続される。
【００２２】
柄部４内にも、内部が中空の中空内部４ａが設けられている。中空内部４ａは略円柱状である。中空内部４ａの側面はカーボン素材で囲まれている。柄部４の尻には尻栓５ａが設けられており、尻栓５ａが中空内部４ａの一方の底面を形成し、底面から水が浸入するのを防止している。また、柄部４の口にはネジ３０がねじ込まれ、ネジ３０が中空内部４ａの他方の底面の口栓として機能している。中空内部４ａには、中空内部４ａの一部または全部を埋めるようにして浮力素材４ｂが挿入されている。浮力素材４ｂとしては、例えば、比重が水と比べて軽い発泡ウレタンを用いることができる。柄部４の中空内部４ａも、たも網１を水中に沈み込ませにくくする浮力部として機能する。
【００２３】
尚、枠部３と柄部４の中空内部３ａ，４ａは、柄部の長手方向となる全長において浮力バランスを取り、枠部３と柄部４とが一直線状となって水面に平行に浮くように調整する。すなわち、枠部３側が水中に沈み込むようであれば、枠部３側の浮力部としての中空内部３ａを大きくし、逆に、柄部４側が水中に沈み込むようであれば、柄部４側の浮力部としての中空内部４ａを大きくすればよい。
【００２４】
＜着脱機構＞
図３は、着脱機構による着脱の様子示す図である。
【００２５】
枠部吊り上げ具１５は、人工皮革製のベルトであり、当該ベルトの両端部には孔１５ａが開けられ、孔の周囲には、プラスチック製（若しくは金属製）のリング１５ｂが嵌められている。枠部吊り上げ具１５は、枠部３に巻かれ、両端部の２つのリング１５ｂが重なるように配置される。
【００２６】
枠部取り付け具１３は、金属製のカラビナであり、開閉可能なゲート１３ａを有している。当該ゲートの開閉操作により、枠部取り付け具１３は、枠部吊り上げ具１５の両端部の重ねられた２つのリングに取り付けられる。
【００２７】
第１磁石部２１は、底面の直径及び高さが共に約１．５ｃｍの円柱状の本体部２１ａと、縮径された円柱状の取付部２１ｂとを有し、当該本体部２１ａと当該取付部２１ｂの連結部分が連続的に縮径する略円錐台状形状に形成され、手指でつまむことができる。本体部２１ａの内部には、磁石Ｇが埋め込まれている。取付部２１ｂと反対側の本体部２１ａの底面には、当該磁石Ｇが露出する吸着面が形成されている。吸着面は円形の平面状で、当該円形の直径は本体部の底面の直径より僅かに小さくなっている。取付部２１ｂには、内部を通って側面から反対側の側面に貫通する貫通孔２１ｃが形成され、当該貫通孔にリング状金具１４が取り付けられている。リング状金具１４には、枠部取り付け具１３が、ゲートの開閉操作により取り付けられる。
【００２８】
上述のようにして連結された枠部吊り上げ具１５と枠部取り付け具１３とリング状金具１４と第１磁石部２１とは、枠部３に接続された第１着脱具として機能する。枠部吊り上げ具１５と枠部取り付け具１３とリング状金具１４とは、枠部３と接続する接続具として機能する。尚、枠部吊り上げ具１５は、枠部３との接続に限定されるものではなく、柄部４との接続に用いてもよい。
【００２９】
フック取り付け具１１（開閉可能なゲート１１ａを有する）、及びリング状金具１２は、それぞれ枠部取り付け具１３、及びリング状金具１４と同様のものが使用される。第２磁石部２０は、貫通孔２０ｃが形成された取付部２０ｂと本体部２０ａを有しており、第１磁石部２１と外形が同じものが使用される。但し、第２磁石部２０の磁石Ｇが露出する吸着面の極性は、第１磁石部２１の磁石Ｇが露出する吸着面の極性と異なる極性となっている。
【００３０】
フック取り付け具１１とリング状金具１２と第２磁石部２０とは、同様にしてこの順で連結され、釣り人（利用者）の首から背中に向けて吊り下げたフックＦ（図１参照）に取り付けられる第２着脱具として機能する。フック取り付け具１１とリング状金具１２とは、フックＦ（図１参照）あるいは服または鞄（図示せず）と接続する接続具として機能する。
【００３１】
中間着脱具２３は、網部２の底部または底部近傍にリング状金具２４を介して取り付けられている。中間着脱具２３は、磁力に吸着する金属素材で形成されている。また、中間着脱具２３は、海水等によってさびにくい材質のものが好ましく、例えば、磁力に吸着するタイプのステンレスが好ましい。中間着脱具２３は、厚みがほぼ一定の約１ｍｍ厚の板状体であり、外形が略矩形状で、短辺の長さが第１磁石部２１及び第２磁石部２０の本体部の径より僅かに大きく約２ｃｍで、長辺の長さが約３．６ｃｍで、端部を手指でつまむことができるようになっている。一方の短辺の近傍には孔が形成されており、当該孔にリング状金具２４が連結されている。リング状金具２４は、網部２を中間着脱具２３に接続する接続具として機能する。中間着脱具２３の大きさは、第１磁石部２１の底面（吸着面側の面）および同一サイズである第２磁石部２０の底面（吸着面の面）よりも大きく形成されている。
【００３２】
≪吸着状態≫
図３（Ａ）は、第１磁石部２１と第２磁石部２０とが中間着脱具２３を挟んで吸着し合い連結する吸着（連結）状態を示す図である。
【００３３】
第１磁石部２１と第２磁石部２０とは、それぞれの吸着面を対向させて配置される。対向する吸着面の間には、中間着脱具２３が吸着面に平行に挿入されている。第１磁石部２１と第２磁石部２０とは、それぞれが有する磁石Ｇの磁力により中間着脱具２３を挟んで互いに吸着し合い連結されている。
【００３４】
当該磁石Ｇは、両方の磁石Ｇによる磁力が少なくともたも網１の自重による重力より大きくなっている。そのため、背中に背負った状態からたも網１が容易に落下することがない（図１参照）。当該磁石Ｇは、両方の磁石Ｇによる磁力が釣り人（利用者）が飛び跳ねたりした際の上下動によりたも網１に加わる衝撃力がさらに重力に加わった力より大きいのが好ましい。これにより、たも１を背負った釣り人（利用者）が大きな動きをしてもたも網１が容易に落下することがない。
【００３５】
≪脱着状態≫
図３（Ｂ）は、第１磁石部２１と第２磁石部２０と中間着脱具２３とが、ばらばらに引き離され非連結となった脱着（非連結）状態を示す図である。
【００３６】
第１磁石部２１と第２磁石部２０とが有する磁石Ｇは、両方の磁石Ｇによる磁力が釣り人（利用者）の手指や腕の力より小さくなっている。
【００３７】
このため、吸着（連結）状態から脱着（非連結）状態への移行は、次の２つのステップで実現できる。第１ステップは、吸着（連結）状態（図３（Ａ）参照）の第１磁石部２１と第２磁石部２０とをそれぞれ左右の手指でつまんで、両方の磁石Ｇによる磁力に抗して、折り曲げるようにして、第１磁石部２１と中間着脱具２３との間、または第２磁石部２０と中間着脱具２３との間にＶ字状の隙間を設けた後、同様に磁力に抗して引き離す。第２ステップでは、吸着（連結）状態のまま残っている第２磁石部２０と中間着脱具２３、または第１磁石部２１と中間着脱具２３に対して、第２磁石部２０または第１磁石部２１と、中間着脱具２３とを手指でつまんで、第２磁石部２０または第１磁石部２１から中間着脱具２３を引きはがすようにして引き離す。このように、手指等を使って容易に脱着（非連結）状態にすることができる。
【００３８】
尚、第１磁石部２１が有する磁石の磁力の方が、第２磁石部２０が有する磁石Ｇの磁力より大きいのが好ましい。これにより、第１ステップ後に吸着（連結）状態のまま残っているのが、第１磁石部２１と中間着脱具２３になる可能性が高くなる。この場合、中間着脱具２３に接続されている網部２は、第１磁石部２１を介して枠部３との連結が保持されることになり、第２ステップでの引き離しがやり易くなる。
【００３９】
図４は、使用時のたも網１の一部を示す正面図である。
【００４０】
たも網１の使用時には、第１着脱具として機能する枠部吊り上げ具１５と枠部取り付け具１３とリング状金具１４と第１磁石部２１とは、連結された状態で枠部３から吊り下がっている。
【００４１】
また、リング状金具２４に取り付けられた中間着脱具２３は、網部２の底部から吊り下がっている。  
このため、第１着脱具、中間着脱具２３は、共に魚を捕まえる使用時に邪魔になる恐れはない。
【００４２】
図５は、魚釣りを行っている時のたも網１の様子示す図である。  
図５（Ａ）は、下半身を水につけて釣り人Ｍが魚を釣ってる最中の様子を示している。たも網１は、携帯時と同様に釣り人Ｍの背中に背負うことができる（図１参照）。このため、両手が自由になり、両手で釣竿Ｓを把持することができる。
【００４３】
図５（Ｂ）は、下半身を水につけて釣り人Ｍが掛かった魚を釣り上げようとしている時の様子を示している。たも網１は使用時の状態にある（図４参照）。
【００４４】
たも網１は、浮力部が設けられているため、全体として水面に浮いている。たも網１は、柄部４の尻に接続された伸縮ベルト６を介して、ベルト取り付け具７で、釣り人Ｍのズボンのベルトに取り付けられている。このため、たも網１は、水に流される恐れがない。
【００４５】
浮力バランスが取れているため、枠部３は、枠部３の作る面が水面とほぼ一致している。また、伸縮ベルト６を適度な長さとすることで、柄部４は、手を伸ばせば直ぐに把持できる範囲に浮かすことができる。そのため、魚を釣り上げて、枠部３を通して網部２に捕まえるのが容易となる。また、魚が暴れるようなことがあっても、一方の手を釣竿Ｓと柄部４との間で直ぐに握り替えて対処でき、取り逃がす恐れが少ない。
【００４６】
以上の構成と動作により、枠部３の中空内部３ａに浮力部が設けられている。そのため、たも網１は、水中で少なくとも枠部３が浮くようになっている。それにより、枠部３を通して網部２に魚を捕まえやすく、また捕まえた魚を逃がす恐れが少ない。
【００４７】
中空内部３ａは、柄部４の長手方向を中心とする枠部３の左右に略対称に設けられている。そのため、水中における枠部３の左右の浮力バランスが取れている。これにより、枠部３の作る面が、水面に浮いた状態で水面に対して平行に保持され、左右に傾きにくくなるため、枠部３を通して網部２に魚を捕まえやすく、また捕まえた魚を逃がす恐れが少ない。
【００４８】
柄部４の長手方向となる全長において、重量の重い方に浮力部を多く備えている。すなわち、柄部４の長手方向となる全長において、重量による重力が浮力により相殺される。そのため、たも網１は、柄部４の長手方向において、水面に対して平行に浮かせることができる。それにより、柄部４が水没して柄部４を捉えにくくなる恐れが少なく、また、枠部３の先端側が水没してしまって、枠部３を通して網部２に魚を捕まえにくくなったり、また、捕まえた魚を逃がしてしまう恐れが少ない。
【００４９】
浮力部は、柄部４のパイプ状の端部付近に尻栓５ａがなされて内部に水が浸入しない構成になっている。そのため、柄部４が有する浮力は変化しにくく、柄部４側の水没が起きにくくなっている。また、柄部４の中空内部４ａのほぼ全体を埋め尽くす浮力素材４ｂで構成されている。そのため、尻栓５ａの不具合から柄部４の内部に水が侵入する事態が発生しても、柄部４が有する浮力は変化しにくく、柄部４側の水没が起きにくくなっている。
【００５０】
第１着脱具と第２着脱具との着脱は、磁力による引力により吸着（連結）し、また、磁力による引力に抗して引き離すことで脱着（非連結）する。そのため、複雑な機構が不要で簡便である。これにより、枠部３または柄部４を介して第１着脱具に接続されたたも網１を、第２着脱具に接続された利用者の服または鞄から容易に着脱することができる。
【００５１】
中間着脱具２３は、第１着脱具と着脱可能になっている。そのため、中間着脱具２３に取り付けられた網部２の底部または底部近傍を枠部３または柄部４に着脱でき、嵩張る網部２をコンパクトにして枠部３または柄部４にまとめることができる。
【００５２】
特に、中間着脱具２３は、網部２の底に取り付けられており、たも網１に設けられている第１磁石部２１に吸着することができる。これにより、網部２の位置が固定されるために網部２が広がって邪魔になることがなく、取扱いを容易にできる。そして、この取り扱い容易な状態で、見えない背中にある第２磁石部２０へ第１磁石２１を近づけるようにたも網１を背中で持ち上げれば、第１磁石２１と第２磁石２０が中間着脱具２３を挟んだ状態で吸着し、たも網１が背中に固定される。
【００５３】
中間着脱具２３は、磁力に吸着する素材で形成され、第１着脱具は、磁石Ｇを備えている。すなわち、中間着脱具２３は、第１着脱具が有する磁石Ｇの磁力により吸着される。そのため、吸着力はあまり大きくなく、中間着脱具２３の着脱に要する力が小さくて済む。
【００５４】
第２着脱具は、磁石Ｇを備えている。そのため、共に磁石Ｇを備えている第１着脱具と第２着脱具との磁力による吸着力は大きい。よって、第１着脱具と第２着脱具とを介したたも網１の服または鞄への連結力は強力になり、釣り人（利用者）に大きな動きがあっても、第１着脱具と第２着脱具とは容易には外れにくくなる。
【００５５】
中間着脱具２３は、厚み一定の板状に形成されている。また、第１着脱具と第２着脱具の吸着面は平面となっている。そのため、第１着脱具及び第２着脱具の吸着面に中間着脱具２３を隙間なく面接触させることができる。これにより、中間着脱具２３を間に挟んで互いに磁力により吸着し合う第１着脱具と第２着脱具とは、中間着脱具２３が介在するにも拘わらず外れにくくなっている。
【００５６】
また、中間着脱具２３は、それ自体は磁力を有しない金属素材により形成されているため、図５（Ｂ）に示すように網部２が水中にあって中間着脱具２３が水底近くにあっても、この中間着脱具２３が水底に落ちている金属性の物品（例えば水中に放置された釣り針やルアー等）が吸着してしまうことを防止できる。  
尚、この発明は本実施形態に限られず他の様々な実施形態とすることができる。
【産業上の利用可能性】
【００５７】
この発明は、漁具の産業に利用することができる。
【符号の説明】
【００５８】
１…たも網
２…網部
３…枠部
３ａ…中空内部
４…柄部
４ａ…中空内部
４ｂ…浮力素材
５…グリップ部
５ａ…尻栓
６…ベルト
７…ベルト取り付け具
１１…フック取り付け具
１３…枠部取り付け具
１５…枠部吊り上げ具
２０…第２磁石部
２１…第１磁石部
２３…中間着脱具
３０…ネジ
Ｇ…吸着面
【図１】
2018161076.tif 000003
【図２】
2018161076.tif 000004
【図３】
2018161076.tif 000005
【図４】
2018161076.tif 000006
【図５】
2018161076.tif 000007